(57)【要約】【課題】歯ブラシのような棒状道具のための道具立てを汎用の容器内に挿入して保持可能とすることにより、保管及び持ち運びを容易にすることを課題とする。【解決手段】上方が開放された容器２１，２２に挿入されて保持される本体１１，１２，１３と、該本体上に設けられ、容器の内部を覆う上蓋３１，３２とを備え、上蓋には容器の内部から外部へ貫通する孔３１ａ，３２ａが設けられ、孔は歯ブラシのような棒状道具が挿入して支持される。汎用の容器内に必要時に挿入して使用される着脱式棒状道具立てであるため、専用の容器は不要であり、体積が小さくて済み、保管及び持ち運びが容易である。【選択図】図１
2011254880.tif 000002
【特許請求の範囲】
【請求項１】
上方が開放された容器に挿入されて保持される本体と、該本体上に設けられ、前記容器の内部を覆う上蓋とを備え、前記上蓋には前記容器の内部から外部へ貫通する孔が設けられ、該孔は棒状道具が挿入して支持されることを特徴とする着脱式棒状道具立て。
【請求項２】
請求項１の着脱式棒状道具立てにおいて、前記上蓋には複数の孔が設けられ、各孔を互いに識別可能なように、上蓋上における孔毎の位置決め、孔毎の形状変更、又は孔毎に対応した前記上蓋上への表示の付与が成されていることを特徴とする着脱式棒状道具立て。
【発明の詳細な説明】
【技術分野】
【０００１】
本発明は、旅行先や自宅で使用した後の歯ブラシや食器類の道具、例えばスプーン、フォーク、箸を使い易い状態で保管する棒状道具立てに関する。
【背景技術】
【０００２】
旅行先や自宅で使用した後の歯ブラシを保管する際、洗面所付近にそのまま置いたり、コップに入れたりしている。下記特許文献１には複数本の歯ブラシをコンパクトかつ衛生的に支持し保管することのできる歯ブラシ立てが開示されている。特許文献１に記載の歯ブラシ立ては複数本の歯ブラシが隣り合ったもの同士で当たるのを抑制して複数本の歯ブラシを衛生的に保管するものである。
【先行技術文献】
【特許文献】
【０００３】
【特許文献１】特開２００９−２３３００９号公報
【発明の概要】
【発明が解決しようとする課題】
【０００４】
しかし、特許文献１に記載の歯ブラシ立ては容器が一体になっているので体積が大きく保管及び持ち運びに不便であるという問題がある。
本発明は、このような問題に鑑み、歯ブラシのような棒状道具のための道具立てを汎用の容器内に挿入して保持可能とすることにより、保管及び持ち運びを容易にすることを課題とする。
【課題を解決するための手段】
【０００５】
本発明の第１発明は、上方が開放された容器に挿入されて保持される本体と、該本体上に設けられ、前記容器の内部を覆う上蓋とを備え、前記上蓋には前記容器の内部から外部へ貫通する孔が設けられ、該孔は棒状道具が挿入して支持されることを特徴とする着脱式棒状道具立てである。
第１発明によれば、汎用の容器内に必要時に挿入して使用される着脱式棒状道具立てであるため、専用の容器は不要であり、体積が小さくて済み、保管及び持ち運びが容易である。
【０００６】
本発明の第２発明は、上記第１発明において、前記上蓋には複数の孔が設けられ、各孔を互いに識別可能なように、上蓋上における孔毎の位置決め、孔毎の形状変更、又は孔毎に対応した前記上蓋上への表示の付与が成されていることを特徴とする着脱式棒状道具立てである。
第２発明によれば、同じ種類の棒状道具を複数本各孔に挿入した場合でも、各孔が互いに識別可能とされているため、各道具を容易に識別することができる。
【図面の簡単な説明】
【０００７】
【図１】本発明の第１の実施形態を示す説明図であり、Ａ、Ｂは本体の正面図、Ｃ、Ｄは枠体の平面図及び正面図、Ｅ、Ｆは上蓋の平面図及び正面図、Ｇ、Ｈは別の上蓋の平面図及び正面図、Ｉ、Ｊは容器内に保持された状態の正面図である。
【図２】図１の実施形態の変形例を示す説明図であり、Ａは斜視図、Ｂは部分断面正面図、Ｃは平面図、Ｄ，Ｅは容器内に保持された状態の正面図である。
【図３】図１の実施形態の本体の構成を示す正面図である。
【図４】本発明の第２の実施形態を示す説明図、Ａ、Ｂは本体を成す板の正面図、Ｃは本体の平面図、Ｄは本体の正面図、Ｅ、Ｆは上蓋の平面図及び正面図、Ｇ、Ｈは別の上蓋の平面図及び正面図、Ｉは容器内に保持された状態の正面図である。
【図５】本発明の第３の実施形態を示す説明図、Ａ、Ｂ、Ｃは本体を成す板の正面図、Ｄは本体の平面図、Ｅ、Ｆは上蓋の平面図及び正面図、Ｇ、Ｈは別の上蓋の平面図及び正面図、Ｉは容器内に保持された状態の正面図である。
【発明を実施するための形態】
【０００８】
以下、本発明の実施形態を図面を参照しながら説明する。
図１は、汎用の容器２１，２２に挿入される本体１１、１２が樹脂製のジャバラによって形成され、樹脂製の上蓋３１、３２が別体とされたものを示す。本体１１、１２は図１Ｉ及び図１Ｊに示すような容器２１、２２の各形状に合わせて使い分けできるように、図１Ａに示すストレートタイプと図１Ｂに示す傾斜タイプが用意されている。ジャバラから成る本体１１、１２の上には、図１Ａ、図１Ｂ、図１Ｃに示されるように中心部に孔開けされたリング状の枠体１３が嵌め込まれて一体化されている。更に、枠体１３の上には図１Ｅ、図１Ｆ、図１Ｇ、図１Ｈに示される上蓋３１、３２が載置されて、図１Ｉ及び図１Ｊのように容器２１、２２（この場合、ガラスコップ）の中に挿入されて保持されている。本体１１，１２がジャバラ形状であるため、内径が違う容器に対してもジャバラ形状の下端部の外径と容器２１、２２の内径とが一致する位置で本体１１，１２が保持される。また、容器２１、２２の内径がジャバラ形状の外径よりも大きい場合には、本体１１，１２が容器２１、２２の底部に当接して保持される。本体１１、１２を容器２１、２２から取り出す場合には、枠体１３の内側に指を掛けて容易に取り出すことができる。
上蓋３１、３２には、複数の孔３１ａ，３２ａが開けられており、図１Ｅ及び図１Ｆには２つの楕円形の孔３１ａが開けられた例が示されており、図１Ｇ及び図１Ｈには４つの小孔３２ａが開けられた例が示されている。このように上蓋３１、３２は種々の形状の孔のものを用意することができ、用途に応じて使い分けることができる。
【０００９】
図３には、本体１１、１２のジャバラ部分のバリエーションが示されており、図３Ａ及び図３Ｃは簡単にジャバラ１１ａ、１２ａが収縮しないハードタイプを示し、図３Ｂ及び図３Ｄはジャバラ１１ａ、１２ａが収縮するソフトタイプを示す。図３Ａ及び図３Ｂは図１Ａに対応するストレートタイプを示し、図３Ｃ及び図３Ｄは図１Ｂに対応する傾斜タイプを示している。収縮するソフトタイプであれば、持ち運び時に収縮させることができ便利である。
【００１０】
図２は、図１の実施形態における枠体１３と上蓋３１，３２とを一体化したものを示している。この場合も、容器２１、２２内への本体１１、１２及び上蓋１４の挿入、保持は図１の場合と同様である。この変形例では、本体１１、１２と上蓋１４が一体化されているため、図１の場合に比べて部品点数が少なくて済み、持ち運び時の取り扱いが容易である。なお、この場合の上蓋１４の孔１４ａは７つ（図２Ａ参照）若しくは５つ（図２Ｃ参照）開けられている。
【００１１】
図４は、本体が２枚の板１５、１６を組合わせたものから成り、上蓋３３、３４が別体とされたものを示す。２枚の板１５、１６及び上蓋３３，３４は、軽量で軟質である発泡樹脂製とすることが望ましい。２枚の板の一方１５は図４Ａのように上端中央にスリット１５ａが形成され、他方１６は図４Ｂのように下端中央にスリット１６ａが形成されている。一方の板１５を下、他方の板１６を上にして、各板１５、１６のスリット１５ａ，１６ａを互いに合わせて、板１５、１６をクロスさせて組立てることによって、図４Ｃ及び図４Ｄに示すように平面視で十字形に組み合わされた２枚の板１５、１６から成る本体が完成する。この本体１５、１６をガラスコップのような容器２１に挿入することによって、図４Ｉのように本体１５、１６は容器２１内で保持される。この状態で、本体１５、１６の上に上蓋３３、３４を置くことにより道具立てが完成する。この場合も、図１の場合と同様、図４Ｅ、図４Ｆ、図４Ｇ、図４Ｈに示すように、上蓋３３、３４の孔３３ａ，３４ａには用途に応じて種々のものを用意することができる。２枚の板１５、１６は、図４Ａ、図４Ｂに示されるように、下底が上底に比べて僅かに短くされた台形とされ、図４Ｉのように汎用のガラスコップのような容器２１に挿入されたとき、本体が容器２１の底に達する前に止まるようにされている。容器が大きい場合には、本体１５、１６は容器２１の底部に当接して保持される。
【００１２】
２枚の板１５、１６の面にスポンサー広告を付ければ２枚の板１５、１６を組立てる前の状態でも、組立て後でも広告をユーザーに見せることができる。容器２１がガラスコップである場合には、本体１５、１６を容器２１内に挿入して道具立てとして使用中でも広告機能を発揮させることができる。
また、上蓋３３、３４の複数の孔３３ａ，３４ａの形状を孔毎に変化させておけば、歯ブラシのような道具が複数本同じものであっても使用中に個々の道具の識別をすることができる。孔３３ａ，３４ａの形状を変化させる代わりに孔３３ａ，３４ａの近くに、それぞれ違うマーク、記号、各種名称などの表示を付けておいても同様の効果を発揮できる。
【００１３】
図５は、本体が３枚の板１７〜１９を組合わせるものから成り、上蓋３５、３６が別体とされたものを示す。この場合の３枚の板１７〜１９及び上蓋３５、３６の材料は図４の場合と同様、発泡樹脂が良い。３枚の板１７〜１９には図５Ａ、図５Ｂ、図５Ｃのようにそれぞれにスリットが形成されており、第１の板１７には上端左側に２本のスリット１７ａ，１７ｂが互いに並行して形成され、第２の板１８には上下互い違いで中央部に２本のスリット１８ａ，１８ｂが形成され、第３の板１９には下端左側に２本のスリット１９ａ，１９ｂが互いに並行して形成されている。３枚の板１７〜１９は、第２の板１８を間にして上方から第３の板１９、下方から第１の板１７を各スリットを合わせて、本体が平面視で図５Ｄの形状となるように組合される。組合せ後の本体１７〜１９は、図４の場合と同様に容器２１内に挿入され、上蓋３５、３６が置かれて道具立てが完成する。板１７〜１９も汎用のガラスコップの形状に合わせて下底が上底に比べて短い台形に形成されている。
【００１４】
上蓋３５、３６の孔３５ａ，３６ａは、円の中心から偏倚した位置に形成されている。これは図５Ｄから明らかなように３枚の板１７〜１９によって組立てられた本体の道具のための受入れスペースＳが中心から偏倚した位置にあるためである。しかし、そのように中心から偏倚した位置に上蓋３５、３６の孔３５ａ，３６ａが開けられているため、図４の場合のように孔の形状を変えたり、マークなどを付けなくても孔の位置で、そこに挿入された複数の道具を個々に識別することができる。
【００１５】
上記各実施形態では、容器が円筒形及び円錐台形のものを例に説明したが、容器は角形のものでも良い。容器の形状に合わせて、着脱式棒状道具立てを成す本体、上蓋の形状も適宜変更される。
その他、本発明は、その発明思想の範囲内で各種形態で実施可能である。
【符号の説明】
【００１６】
１１、１２    ジャバラ（本体）
１３    枠体（本体）
１５、１６、１７、１８、１９    板（本体）
２１、２２    容器
１４、３１、３２、３３、３４、３５、３６    上蓋
【図１】
2011254880.tif 000003
【図２】
2011254880.tif 000004
【図３】
2011254880.tif 000005
【図４】
2011254880.tif 000006
【図５】
2011254880.tif 000007